(57)【要約】【課題】収納姿勢を多様化することにより収納時の取り扱いを容易化するとともに、収納スペースの有効利用を可能とした投写型映像表示装置を提供すること。【解決手段】本発明に係る投写型映像表示装置は、光源から射出された光束を映像情報に応じて変調して映像光を形成し、この映像光を拡大投写する投写型映像表示装置である。また、この投写型映像表示装置は、本体１の底面１６を除く他の５面のうちの少なくとも一面において、外周部が、内周側から見て突出する凸面部１１ａ，１２ａ，１４ａとして形成されている。また、この凸面部の内周側に、凸面部の表面から段差を付け内方へ窪まされた凹面部１１ｂ，１２ｂ，１４ｂとして形成されている。さらに、この凹面部に機能部（機能的に重要な働きを成す部分）が配置されている。【選択図】図１
2012247696.tif 000002
【特許請求の範囲】
【請求項１】
光源から射出された光束を映像情報に応じて変調して映像光を形成し、この映像光を拡大投写する投写型映像表示装置であって、
本体の底面を除く他の５面のうちの少なくとも一面において、外周部が、内周側から見て突出する凸面部として形成され、
この凸面部の内周側が、凸面部の表面から段差を付け内方へ窪まされた凹面部として形成され、
この凹面部に機能部が配置されることにより、機能部が前記凸面部の表面から外方に突出しないように形成されている
ことを特徴とする投写型映像表示装置。
【請求項２】
請求項１記載の投写型映像表示装置において、前記凸面部は環状に形成されるとともに、前記凹面部が方形状に形成されていることを特徴とする投写型映像表示装置。
【請求項３】
請求項１又は２記載の投写型映像表示装置において、前記凸面部及び凹面部が本体の天面に形成され、この天面における凹面部に押圧式の操作スイッチが配置されていることを特徴とする投写型映像表示装置。
【請求項４】
請求項３記載の投写型映像表示装置において、
本体の底面には調整脚が取り付けられるとともに、このように構成された同一の投写型映像表示装置が上下に積み重ねられて載置される場合に、上方の投写型映像表示装置の調整脚が、下方の投写型映像表示装置における前記凹面部上に載置されるとともに、前記凸面部の内周側の段差面により位置規制されるように形成されている
ことを特徴とする投写型映像表示装置。
【請求項５】
請求項１〜４の何れか１項に記載の投写型映像表示装置において、
本体の底面を除く他の５面は、全て前記凸面部及び前記凹面部が形成されるとともに、これら凹面部に機能部が配置されている
ことを特徴とする投写型映像表示装置。
【発明の詳細な説明】
【技術分野】
【０００１】
本発明は、投写型映像表示装置に係り、特に、投写型映像表示装置の外観形状に関する。
【背景技術】
【０００２】
投写型映像表示装置は、床面、机上面などの平坦面に設置される場合には、横置き姿勢の設置、すなわち、所謂正立投写設置が標準とされている。また、このような投写型映像表示装置においては、機能的に重要な部分が各面に配置されていることが多い。例えば、正立投写設置における正面には、投写レンズが配置され、天面には押圧式の操作スイッチが配置され、また、左右側面には換気グリルが配置され、さらに、背面には端子部などが配置されている。したがって、投写型映像表示装置を不使用時に収納する場合に、このような機能的に重要な部分が配置されている面を下方にして収納すると、これら機能的に重要な部分が損傷される可能性がある。
【０００３】
例えば、天面に押圧式の操作スイッチが配置されている場合において、この天面を下方にして収納することも可能であるが、このようにして収納すると、表面が僅かに天面から突出している押圧式の操作スイッチが常時押圧されることになり、この操作スイッチのクリック感が変化する可能性がある。また、例えば、換気グリルが配置されている面を下方にして収納すると、換気グリルの一部が本体の面より僅かに突出していることもあり、このような場合には換気グリルが変形することもあり得る。
【０００４】
このため、一般的に投写型映像表示装置を収納する場合は、投写時と同様の姿勢、すなわち、横置き姿勢の状態とされている。なお、このような投写型映像表示装置としては、例えば、特許文献１、特許文献２などに記載のものがある。
【０００５】
また、投写型映像表示装置の中には、床面、机上面などの平坦面に設置される場合に横置き姿勢のみならず縦置き姿勢をも可能として、投写時の設置状態を多様化したものもある。このような投写型映像表示装置の場合は、投写時の設置状態と同様の姿勢、すなわち、横置き姿勢、又は縦置き姿勢の状態で収納することができる。なお、これ以外の姿勢では前述の場合と同様の理由により収納することができない。このような投写型映像表示装置としては、例えば、特許文献３、特許文献４などに記載のものがある。
【先行技術文献】
【特許文献】
【０００６】
【特許文献１】特開２０１０−２５６８３５号公報
【特許文献２】特開２００８−２１６７５８号公報
【特許文献３】特開２００５−１４８５９５号公報
【特許文献４】特開２００９−２２９５７６号公報
【発明の概要】
【発明が解決しようとする課題】
【０００７】
しかしながら、何れにしても投写型映像表示装置を収納する場合に、投写時の設置姿勢の状態でしか収納できない物の場合は、収納時の取り扱いが不便であるとともに、収納スペースを有効に利用することができないという問題があった。
【０００８】
本発明は、このような従来技術における問題点を解決するものであって、収納姿勢を多様化することにより収納時の取り扱いを容易化するとともに、収納スペースの有効利用を可能とした投写型映像表示装置を提供することを目的とする。
【課題を解決するための手段】
【０００９】
請求項１に記載された発明に係る投写型映像表示装置は、光源から射出された光束を映像情報に応じて変調して映像光を形成し、この映像光を拡大投写する投写型映像表示装置であって、本体の底面を除く他の５面のうちの少なくとも一面において、外周部が、内周側から見て突出する凸面部として形成され、この凸面部の内周側が、凸面部の表面から段差を付け内方へ窪まされた凹面部として形成され、この凹面部に機能部が配置されることにより、機能部が前記凸面部の表面から外方に突出しないように形成されていることを特徴とする。
【００１０】
ここに、機能部とは、投写レンズ、操作スイッチ、電源、光学系機器等を冷却する冷却空気の取入口や排気口を成す換気グリル、外部電源からの電力、コンピュータなどからの映像信号などを取り入れるコネクタなどのように機能的に重要な働きを成す部分をいう。
【００１１】
この構成によれば、機能部が配置された面を下方にしても、外周部に形成された凸面部が内周側の凹面部に配置された機能部のプロテクタとして作用するため、機能部が床面に触れる心配がない。したがって、従来、所謂正立投写設置のみしかできない投写型映像表示装置にこれを適用すれば、凸面部及び凹面部が形成されるとともに機能部がこの凹面部に配置された面を下方として収納することにより、収納に必要な床面積を大幅に減少させることができる。また、収納姿勢の多様化を図ることができるので、収納作業も容易化される。また、このように構成された投写型映像表示装置を持ち運びする場合には、凸面部における内周側の段差面が指の掛かり代になるので指のすべりが防止され、安定した保持を期待することができる。このように、本発明によれば、投写型映像表示装置の収納時の取り扱いを容易化するとともに、収納スペースの有効利用を可能とすることができる。
【００１２】
請求項２に記載の発明は、請求項１記載の投写型映像表示装置において、前記凸面部は環状に形成されるとともに、前記凹面部が方形状に形成されていることを特徴とする。
このように構成されていると、凸面部が枠状を成すように環状に形成されるとともに、凸面部と凹面部とが形状的に明確に区別されるので、これを利用して凸面部と凹面部とで色を変えたツートーンカラーとするなどして、外観体裁を向上させることができる。
【００１３】
請求項３に記載の発明は、請求項１又は２記載の投写型映像表示装置において、前記凸面部及び凹面部が本体の天面に形成され、この天面における凹面部に押圧式の操作スイッチが配置されていることを特徴とする。
【００１４】
投写型映像表示装置は、一般に本体の天面に押圧式の操作スイッチが配置されている。したがって、このように構成すると、一般的な投写型映像表示装置に適用することのできる機会が増大するとともに、天面を下方にして収納することができる。また、狭いスペースに収納する場合において、天面が壁面に当接するような場合においても、押圧式の操作スイッチの表面に押圧力が作用することを回避することができる。
【００１５】
請求項４に記載の発明は、請求項３記載の投写型映像表示装置において、本体の底面には調整脚が取り付けられるとともに、このように構成された同一の投写型映像表示装置が上下に積み重ねられて載置される場合に、上方の投写型映像表示装置の調整脚が、下方の投写型映像表示装置における前記凹面部上に載置されるとともに、前記凸面部の内周側の段差面により位置規制されるように形成されていることを特徴とする。
【００１６】
この構成によれば、２台以上の投写型映像表示装置を上下に積み重ねた状態で安定して収納することができる。また、２台以上の投写型映像表示装置を上下に積み重ねた状態で安定してスタック投写することができる。
【００１７】
請求項５に記載の発明は、請求項１〜４の何れか１項に記載の投写型映像表示装置において、本体の底面を除く他の５面は、全て前記凸面部及び前記凹面部が形成されるとともに、これら凹面部に機能部が配置されていることを特徴とする。
【００１８】
このように構成すると、本体の底面を除く全ての面に機能部を配置しながら、投写型映像表示装置を収納する場合に投写時の設置姿勢以外のいろいろな姿勢で収納することができる。したがって、収納時の取り扱いがより容易化されるとともに、収納スペースのより一層の有効利用を可能とすることができる。
【発明の効果】
【００１９】
本発明に係る投写型映像表示装置によれば、外周部に形成された凸面部が内周側の凹面部に配置された機能部のプロテクタとして作用するので、機能部の配置された面を下方とする姿勢で収納することができる。また、このように形成された投写型映像表示装置を持ち運びする場合に、凸面部における内周側の段差面が指の掛かり代になるので指のすべりが防止され、安定した保持を期待することができる。したがって、本発明によれば、投写型映像表示装置の収納時の取り扱いを容易化するとともに、収納スペースの有効利用を可能とする。
【図面の簡単な説明】
【００２０】
【図１】本発明の実施の形態に係る投写型映像表示装置の前方斜め上方から見た外観斜視図である。
【図２】図１におけるＡ−Ａ断面図である。
【図３】同投写型映像表示装置の後方斜め上方から見た外観斜視図である。
【図４】同投写型映像表示装置を、左側面を下方とした収納状態図である。
【図５】同投写型映像表示装置を、前面を下方とした収納状態図である。
【図６】同投写型映像表示装置を持ち運びする場合の、手の引っ掛かり状態を示す図である。
【図７】同投写型映像表示装置を、上下に積み重ねて載置する場合の状態図である。
【図８】同状態図における上方の投写型映像表示装置の調整脚の載置状態を示す部分断面図である。
【図９】変形例に係る投写型映像表示装置の前方斜め上方から見た外観斜視図である。
【発明を実施するための形態】
【００２１】
以下、本発明の実施の形態１に係る投写型映像表示装置について図面を参照しながら説明する。なお、以下の説明において、上下左右方向又は前後方向をいうときは、図１及び図３に矢印で示すように、投写型映像表示装置を平坦な床面、机上面などに設置する所謂正立投写設置した場合において、投写レンズ側を前面とした上下左右方向をいうものとする。
【００２２】
本実施の形態に係る投写型映像表示装置は、光源から射出された光束を映像情報に応じて変調して映像光を形成し、この映像光を拡大投写する所謂３板式液晶プロジェクタである。この投写型映像表示装置の本体１は、図１に示すように、左右方向に長く、鉛直方向の寸法が小さい直方体形状に形成されている。本体１の内部には、光学系機器、電源、制御部、冷却系機器などが搭載されている。そして、この実施の形態に係る投写型映像表示装置は、床面、机上面などの平坦面に設置される場合には横置き姿勢の状態で、すなわち、図１に示すような所謂正立投写設置で設置される。
【００２３】
また、この投写型映像表示装置は、本体１の前面１１、天面１２、左側面１３、右側面１４及び背面１５それぞれに機能部が配置されている。この明細書において機能部とは、前述のように、投写レンズ２１、操作スイッチ２２、電源、光学系機器等を冷却する冷却空気の取入口や排気口を成す換気グリル２３，２４、外部電源からの電力、コンピュータなどからの映像信号などを取り入れるコネクタ２５などのように機能的に重要な働きを成す部分をいう。
【００２４】
これら機能部は、図１に示すように、本体１の前面１１の左側方よりに投写レンズ２１が配置されている。また、本体１の天面１２に、押圧式の操作スイッチ２２が配置されている。また、本体１の左側面１３に、図３に示すように、機内の光源や光学部品を冷却する冷却空気として機外空気を取り入れるための換気グリル２３が形成されるとともに、右側面１４に、図１に示すように、機内の光源や光学部品を冷却した後の冷却空気排出するための換気グリル２４が形成されている。また、本体１の背面１５に、外部電源からの電力、コンピュータなどからの映像信号などを取り入れるコネクタ２５が配置されている。
【００２５】
そして、本実施の形態に係る投写型映像表示装置においては、本体１の前面１１、天面１２、左側面１３、右側面１４又は背面１５を下方にして床面に載置することができるように、それぞれの面には、外周部に内周側から見て突出する凸面部１１ａ，１２ａ，１３ａ，１４ａ，１５ａが形成されている。これら凸面部１１ａ，１２ａ，１３ａ，１４ａ，１５ａは、この実施の形態においては、各面の正面から見て各面の縁部を成す連続する環状に形成されている。
【００２６】
また、これら凸面部１１ａ，１２ａ，１３ａ，１４ａ，１５ａの内周側には、段差を付けて窪ませた方形状の平面からなる凹面部１１ｂ，１２ｂ，１３ｂ，１４ｂ，１５ｂが形成されている。また、これら凹面部１１ｂ，１２ｂ，１３ｂ，１４ｂ，１５ｂそれぞれに、前述のように機能部が配置されている。さらに、凸面部１１ａ，１２ａ，１３ａ，１４ａ，１５ａの表面と凹面部１１ｂ，１２ｂ，１３ｂ，１４ｂ，１５ｂの表面との段差Ｈ（図２参照）は、各機能部の先端が凸面部１１ａ，１２ａ，１３ａ，１４ａ，１５ａの表面から外方へ突出することのないように設定されている。
【００２７】
また、この実施の形態に係る投写型映像表示装置は、各面において凸面部１１ａ，１２ａ，１３ａ，１４ａ，１５ａと凹面部１１ｂ，１２ｂ，１３ｂ，１４ｂ，１５ｂとがツート−ンカラーを成すように形成されている。具体的には、凸面部１１ａ，１２ａ，１３ａ，１４ａ，１５ａが黒色であり、凹面部１１ｂ，１２ｂ，１３ｂ，１４ｂ，１５ｂが白色として形成されている。なお、ここでは特に区別しては記載されていないが、本体１を形成する筐体は、実際的には、上部筐体と下部筐体とから構成されている。
【００２８】
また、本体１の底面１６には、所謂正立投写設置で設置された場合に、投写レンズ２１の方向を調整できるように３個の調整脚３が設けられている。この調整脚３は、底面１６における前面側左右に各１個取り付けられとともに、底面１６における後方の左右方向中央部に１個取り付けられている。この取付位置は、図１において破線で示されている。
【００２９】
このように構成された投写型映像表示装置の作用として、その取り扱い要領について述べる。
先ず、このように構成された投写型映像表示装置の収納は、図１に示す所謂正立投写設置状態を成す横置き姿勢で収納することができる他、本体１の底面１６以外の他の５面の何れを下方として床面Ｆ上に載置した姿勢としても収納することができる。図４は、その具体例を示すものであって、本体１の左側面１３を下方とした姿勢にて収納する場合の状態を示す。また、図５に、本体１の背面１５を下方とした姿勢にて収納する場合の状態を示す。これらの場合において、各面における凸面部１３ａ，１５ａが、各面に配置された機能部のプロテクタとして機能する。なお、図示しないが、右側面１４を下方とした姿勢にて収納する場合の状態、及び前面１１を下方とした姿勢にて収納する場合の状態は、図４又は図５において上下反転させた状態となる。また、図示していないが、本体１の天面１２を下方とした姿勢にて収納することも可能である。
【００３０】
また、本実施の形態に係る投写型映像表示装置の収納や設置に際し、この投写型映像表示装置を持ち運びする必要が生じるが、この場合に、図６に示すように各面の凸面部における内周側の段差面が指Ｍの掛かり代となる。これにより持ち運びする者の指Ｍのすべりが防止され、安定した保持が可能となる。
【００３１】
また、このように構成された投写型映像表示装置は、上下に積み重ねることができる。図７にその一例として上下２段に積み重ねられた例が示されているが、その場合における調整脚３と下方の投写型映像表示装置における天面に形成された凸面部１２ａとの相対位置関係は、図８に示されたようになる。この図に示されているように、凸面部１２ａの内周側に形成される段差面に調整脚３が略接触して配置されるように形成されている。これにより、上方の投写型映像表示装置の位置が規制されるとともに、上方の投写型映像表示装置が滑って落下することが防止される。このような積み重ね載置は、積み重ね状態で収納する場合、及び複数台（例えば２台）の投写型映像表示装置を使用したスタック投写を行う場合に実施される。
【００３２】
本実施の形態に係るに投写型映像表示装置は、以上のように構成されているので、次のような効果を奏することができる。
（１）機能部が配置された面を下方にしても、外周部に形成された凸面部１１ａ，１２ａ，１３ａ，１４ａ，１５ａが内周側の凹面部１１ｂ，１２ｂ，１３ｂ，１４ｂ，１５ｂに配置された機能部のプロテクタとして機能するため、機能部が床面Ｆに触れる心配がない。したがって、所謂正立投写設置のみしかできない投写型映像表示装置にあっても、横置き以外の姿勢で収納することができるので、収納に必要な床面積を大幅に減少させることができる。また、収納姿勢の多様化を図ることができるので、収納作業も容易化される。
【００３３】
（２）また、このように構成された投写型映像表示装置を持ち運びする場合には、凸面部１１ａ，１２ａ，１３ａ，１４ａ，１５ａにおける内周側の段差面が、図６に示すように指Ｍの掛かり代になるので指Ｍのすべりが防止され、安定した保持を行うことができる。
【００３４】
（３）このように、本発明によれば、収納姿勢の多様化、並びに投写型映像表示装置の持ち運びにおける滑り止め効果が相乗されて、収納時の取り扱いが容易化されるとともに、収納スペースの有効利用を可能とすることができる。
【００３５】
（４）また、凸面部１１ａ，１２ａ，１３ａ，１４ａ，１５ａと凹面部１１ｂ，１２ｂ，１３ｂ，１４ｂ，１５ｂとが形状的に明確に区別されるので、これを利用して凸面部と凹面部とで色を変えたツートーンカラーとするなどして、外観体裁を向上させることができる。
【００３６】
（５）また、凸面部１１ａ，１２ａ，１３ａ，１４ａ，１５ａ及び凹面部１１ｂ，１２ｂ，１３ｂ，１４ｂ，１５ｂが本体１の天面１２に形成され、この天面１２における凹面部１２ｂに押圧式の操作スイッチ２２が配置されているので、一般的な投写型映像表示装置に広く適用可能である。また、このように適用された投写型映像表示装置においては、天面１２を下方にして収納することができ、収納スペースの有効活用を図ることができる。また、狭いスペースに収納する場合において、天面１２が壁面等に当接するような場合においても、押圧式の操作スイッチ２２の表面に押圧力が作用することを回避することができる。
【００３７】
（６）また、天面１２がこのように構成された投写型映像表示装置は、２台以上の投写型映像表示装置を上下に積み重ねた状態で安定して収納することができる。また、２台以上の投写型映像表示装置を上下に積み重ねた状態で安定してスタック投写することができる。
【００３８】
（７）また、直方体形状の本体１の底面１６を除く他の全ての面において、凸面部１１ａ，１２ａ，１３ａ，１４ａ，１５ａ及び凹面部１１ｂ，１２ｂ，１３ｂ，１４ｂ，１５ｂが形成されるとともに、これら凹面部１１ｂ，１２ｂ，１３ｂ，１４ｂ，１５ｂに機能部が配置されている。したがって、投写時の設置姿勢以外のいろいろな姿勢で投写型映像表示装置を収納することができる。また、これにより収納時の取り扱いがより容易化されるとともに、収納スペースのより一層の有効利用を可能とすることができる。
【００３９】
（変形例）
本発明は、上記実施の形態において以下のように変更することもできる。
・上記実施の形態は３板式液晶プロジェクタとしているが、他の形式の液晶プロジェクタとしてもよい。
【００４０】
・上記実施の形態においては、本体１の底面１６を除く他の全ての面において、凸面部１１ａ，１２ａ，１３ａ，１４ａ，１５ａ及び凹面部１１ｂ，１２ｂ，１３ｂ，１４ｂ，１５ｂが形成されるとともに、これら凹面部１１ｂ，１２ｂ，１３ｂ，１４ｂ，１５ｂに機能部が配置されているが、このような構成を１面のみにしてもよい。例えば、天面１２のみにこのような構成を施すようにしてもよい。なお、このようにしても前述の（１）〜（３）、（５）及び（６）の効果を奏することができる。
【００４１】
・前記実施の形態においては、各面における段差Ｈを統一しているが、各面に配置される機能部の仕様等により異なる段差Ｈとしてもよい。
・また、各面における凹面部１１ｂ，１２ｂ，１３ｂ，１４ｂ，１５ｂは、全て均一な平面とされているが、機能部の仕様等により部分的に凸面部１１ａ，１２ａ，１３ａ，１４ａ，１５ａの表面からの段差Ｈを変えたものとしてもよい。
【００４２】
・前記実施の形態においては、各面において凸面部１１ａ，１２ａ，１３ａ，１４ａ，１５ａと凹面部１１ｂ，１２ｂ，１３ｂ，１４ｂ，１５ｂとが同調のツートーンカラーに形成されているものとしたが、面により色の組み合わせを変更してもよい。また、必ずしもツートーンにする必要もない。
【００４３】
・また、前記実施の形態における機能部の配置は、例示的なものであってこの配置と異なる配置としてよいことは勿論である。また、機能部は各面に分散する必要はなく一部の面に集約するようにしてもよい。
【００４４】
・外周部に形成される凸面部１１ａ，１２ａ，１３ａ，１４ａ，１５ａは、前述の実施の形態のように連続して環状に形成されたものではなく、部分的に不連続となるように形成されたものでよいことは勿論である。なお、このような不連続な凸面部が天面１２に形成される場合には、凸面部１２ａは、図９に示すように上方に載置される投写型映像表示装置の調整脚３の位置規制を可能とするように形成されていることが好ましい。
【００４５】
・前記実施の形態における調整脚３は、前方が２個、後方が１個のものであったが、その個数及び配置については、前後共２個ずつとしたり、後方が２個で前方を１個としたりなど適宜変更することが可能である。また、調整脚３の構造、形状等については適宜使用できるものでよい。
【産業上の利用可能性】
【００４６】
本発明は、小型の投写型映像表示装置から大型の投写型映像表示装置まで、容量、大きさ、仕様、内部の機器配置などに関係なく幅広く適用することができる。
【符号の説明】
【００４７】
Ｆ…床面、Ｈ…段差、Ｍ…指、１…本体、３…調整脚、１１…前面、１２…天面、１３…左側面、１４…右側面、１５…背面、１６…底面、１１ａ，１２ａ，１３ａ，１４ａ，１５ａ…凸面部、１１ｂ，１２ｂ，１３ｂ，１４ｂ，１５ｂ…凹面部、２２…操作スイッチ。
【図１】
2012247696.tif 000003
【図２】
2012247696.tif 000004
【図３】
2012247696.tif 000005
【図４】
2012247696.tif 000006
【図５】
2012247696.tif 000007
【図６】
2012247696.tif 000008
【図７】
2012247696.tif 000009
【図８】
2012247696.tif 000010
【図９】
2012247696.tif 000011